(57)【特許請求の範囲】
【請求項１】
前面外扉に画成したディスプレイ室の背面に配した片開き式のディスプレイ扉を閉位置で外扉に係止するためのロック装置であり、ディスプレイ扉の吊り元と反対側の側縁に取付けたクランプを外扉の外枠に設けた受け金に掛け止めするようにしたものにおいて、前記クランプを、取付金と、該取付金の側面に添わせ、かつその基部を取付金へ軸支して揺動可能に案内支持された鉤形ラッチとから構成し、前記鉤形ラッチは、その先端にテーパーガイド面付きの下向きの爪部を形成するとともに、その板面に開口した円弧状のガイド溝に取付金に植設した段付きねじを嵌挿して揺動範囲を規制し、さらに鉤形ラッチの上縁に釈放操作用の把手を形成した構成とし、前記ガイド溝による鉤形ラッチの揺動範囲を、ディスプレイ扉を閉じた際に前記鉤形ラッチのテーパーガイド面が受け金に突き当たって鉤形ラッチが上方に揺動し、鉤形ラッチの爪部が受け金を乗り越えると鉤形ラッチが自動的に下方に揺動して受け金に係合する範囲に規制することを特徴とする自動販売機のディスプレイ扉ロック装置。
【発明の詳細な説明】
【０００１】
【発明の属する技術分野】
本発明は、自動販売機の外扉に画成したディスプレイ室の背面に配した片開き式のディスプレイ扉を閉位置で外扉に係止するためにロック装置に関する。
【０００２】
【従来の技術】
まず、本発明の実施対象となる自動販売機の全体構成を図５に示す。図において、１は自動販売機の本体ケース、２は本体ケース１の前面に配した外扉、３は庫内側の内扉、４は外扉２に画成したディスプレイ室、５はディスプレイ室４の背面側に配した片開き式のディスプレイ扉（裏蓋）、６は商品見本、７はディスプレイ扉５の内面に取付けた商品見本６の陳列台、８は商品見本６と個々に対応してディスプレイ室４の前面に配した商品選択ボタン、９は商品の価格，冷温表示パネルであり、ディスプレイ扉５の吊り元と反対側の側縁には扉ロック用の掛け金１０が、また該掛け金１０に対向して外扉２の外枠には受け金１１が取付けてある。
【０００３】
ここで、従来のディスプレイ扉ロック装置では、掛け金１０として手動操作によりロックレバーを受け金に掛け止めするスライド式，ないしフック式の扉ロックが採用されており、常時は掛け金１０を受け金１１に掛け止めしてディスプレイ扉５を閉位置にロックしておく。そして、ディスプレイ室４のメンテナンス作業を行う際には、掛け金１０を受け金１１から外してディスプレイ扉５を開き、メンテナンス作業の終了後にディスプレイ扉５を閉じた上で、掛け金１０を手動操作で受け金１１に引っ掛けるようにしている。
【０００４】
【発明が解決しようとする課題】
前記した従来のディスプレイ扉ロック装置は、ディスプレイ扉５を閉じた後、扉を閉位置に一方の手で押さえながら他方の手で掛け金１０を受け金１１に引っ掛ける操作が必要であって面倒である。また、ディスプレイ扉５を閉じた後に掛け金１０のロック操作を忘れると、途中で不用意にディスプレイ扉５が開いたりする。
【０００５】
本発明は上記の点に鑑みなされたものであり、ディスプレイ扉を閉じると自動的にロックが掛かるようにして操作性，サービス性の改善を図った自動販売機のディスプレイ扉ロック装置を提供することを目的とする。
【０００６】
【課題を解決するための手段】
上記目的を達成するために、本発明によれば、前面外扉に画成したディスプレイ室の背面に配した片開き式のディスプレイ扉を閉位置で外扉に係止するためのロック装置であり、ディスプレイ扉の吊り元と反対側の側縁に取付けたクランプを外扉の外枠に設けた受け金に掛け止めするようにしたものにおいて、前記クランプを、取付金と、該取付金の側面に添わせ、かつその基部を取付金へ軸支して揺動可能に案内支持された鉤形ラッチとから構成し、前記鉤形ラッチは、その先端にテーパーガイド面付きの下向きの爪部を形成するとともに、その板面に開口した円弧状のガイド溝に取付金に植設した段付きねじを嵌挿して揺動範囲を規制し、さらに鉤形ラッチの上縁に釈放操作用の把手を形成した構成とし、前記ガイド溝による鉤形ラッチの揺動範囲を、ディスプレイ扉を閉じた際に前記鉤形ラッチのテーパーガイド面が受け金に突き当たって鉤形ラッチが上方に揺動し、鉤形ラッチの爪部が受け金を乗り越えると鉤形ラッチが自動的に下方に揺動して受け金に係合する範囲に規制するものとする。
【０００７】
かかる構成により、ディスプレイ扉を閉位置に向けて押し込むと、その途上でクランプのラッチ先端が受け金に突き当たった後、テーパーガイドに沿って爪部が受け金の上を乗り越えて係合し、扉の閉位置で閂止めされる。つまり、ディスプレイ扉を閉じるとクランプが自動的に掛け止めされる。したがって、手動による掛け止め操作が不要で、かつロック装置の掛け忘れのおそれもない。また、扉を開く場合にはラッチの把手に手を掛けて軽く引き上げるだけで簡単にロックが外れる。
【０００８】
【発明の実施の形態】
以下、本発明の実施の形態を図１〜図４に示す実施例に基づいて説明する。なお、図中で図５に対応する部材には同じ符号を付してその説明は省略する。
すなわち、この実施例においては、ディスプレイ扉５に対する扉ロック装置の掛け金として、図３，図４に詳細構造を示すようなクランプ１０がディスプレイ扉５の側縁に取付けてあり、該クランプ１０に対向して外扉２の外枠側面には受け金として段付きねじ１２が植設されている。
【０００９】
ここで、前記のクランプ１０は、図３(a),(b) および図４で示すように、Ｌ字形の取付金１０ａと、該取付金１０ａの側面に添わせて重ね合わせた鉤形のラッチ１０ｂと、該ラッチ１０ｂを取付金１０ａに軸支する段付きねじ１０ｃと、ラッチ１０ｂの揺動範囲を規制するストッパとして取付金１０ａに植設した段付きねじ１０ｄとの組立体からなる。また、ラッチ１０ｂには、その先端側に下向きに突き出した爪部１０-1，およびその前縁に下向きのテーパーガイド面１０ｂ-2が形成され、さらにラッチの上縁には側方に張出した把手１０ｂ-3が形成されている。そして、ラッチ１０ｂの後端基部が前記の段付きねじ１０ｃを介して取付金１０ａに揺動可能に軸支されている。また、ラッチ１０ｂの板面中央には段付きねじ１０ｃを中心とした円弧状の長溝１０ｂ-4が開口してあり、ここに前記した揺動範囲規制用のストッパ１０ｄが嵌挿されている。
【００１０】
次に、前記構成になる扉ロック装置のロック動作を図１(a) 〜(c) で説明する。すなわち、図２でディスプレイ扉５を閉位置に向けて矢印方向に押し込むと、閉位置の直前で図１(a) で示すようにクランプ１０のラッチ１０ｂの先端が受け金として外扉２に設けた段付きねじ１２に突き当たった後、図１(b) のようにテーパーガイド面１０ｂ-2に沿ってラッチ１０ｂが上方に揺動し、ここで爪部１０ｂ-1が段付きねじ１２を乗り越えると、図１(c) のようにラッチ１０ｂが下向きに揺動して爪部１０ｂ-1が段付きねじ１２に係合し、これにより閂止めされた状態になる。上記の動作説明から判るように、ディスプレイ扉５を閉じるとクランプ１０のラッチ１０ｂが自動的に段付きねじ１２に係合して扉ロックが掛かるようになる。したがって、従来のロック装置のように手動操作で掛け金を受け金に引っ掛ける手間が不要であり、かつロックの掛け忘れのおそれもなくなる。
【００１１】
また、ディスプレイ扉５を開ける場合には、ラッチ１０ｂの把手１０ｂ-3に手を掛けて軽く引き上げることより、爪部１０ｂ-1が段付きねじ１２から抜け出てロックが解除される。
【００１２】
【発明の効果】
以上述べたように、本発明の構成によれば、ディスプレイ扉の側縁に取付けたクランプを外扉の外枠に設けた受け金に掛け止めするようにしたものにおいて、前記クランプを、取付金と、該取付金の側面に添わせ、かつその基部を取付金へ軸支して揺動可能に案内支持された鉤形ラッチとの組立体となし、前記鉤形ラッチは、その先端にテーパーガイド面付きの下向きの爪部を形成するとともに、その板面に開口した円弧状のガイド溝に取付金に植設した段付きねじを嵌挿して揺動範囲を規制し、さらに鉤形ラッチの上縁に釈放操作用の把手を形成した構成とし、前記ガイド溝による鉤形ラッチの揺動範囲を、ディスプレイ扉を閉じた際に前記鉤形ラッチのテーパーガイド面が受け金に突き当たって鉤形ラッチが上方に揺動し、鉤形ラッチの爪部が受け金を乗り越えると鉤形ラッチが自動的に下方に揺動して受け金に係合する範囲に規制するように構成したことにより、ディスプレイ扉の開閉操作性が改善され、かつ扉ロックの掛け忘れミスも防止できる。
【図面の簡単な説明】
【図１】本発明の実施例によるディスプレイ扉ロック装置の動作説明図であり、(a) 〜(c) はそれぞれ扉を閉じる際のラッチの動きを動作順に表した図
【図２】図１のディスプレイ扉ロック装置を装備した自動販売機の筐体全体の構成図
【図３】図１に示したクランプの詳細な組立構造を表す図であり、(a),(b) はそれぞれ側面図，および端面図
【図４】図３の分解斜視図
【図５】本発明の実施対象となる従来における自動販売機の扉開放状態の外観図
【符号の説明】
１    本体ケース
２    外扉
４    ディスプレイ室
５    ディスプレイ扉
１０    クランプ（掛け金）
１０ａ  取付金
１０ｂ  ラッチ
１０ｂ-1  爪部
１０ｂ-2  テーパーガイド面
１０ｂ-3  把手
１０ｄ  段付きねじ（ラッチの支軸）
１２    段付きねじ（受け金）
【図１】
0003726564.tif 000002
【図２】
0003726564.tif 000003
【図３】
0003726564.tif 000004
【図４】
0003726564.tif 000005
【図５】
0003726564.tif 000006